(57)【要約】【課題】その日の九星と共に五黄殺の方位、暗剣殺の方位、日破の方位を、特別な知識がなくても一目で知ることができる安心、安全カレンダーを提供する。【解決手段】月表示紙葉２に月ごとの日付９を上下多段の配置で記載し、日付記載部分の一方側方の位置で、それぞれの上下日付の数字間と対応する部分に、九星１０、五黄殺１１、暗剣殺１２、日破１３の文字が上から順に並べて記載し、各日付の下に九星の種類１４及び凶方位を示す五黄殺の方位１５、暗剣殺の方位１６、日破の方位１７を上から順に並べて記載した。【選択図】図２
0003168757.tif 000002
【実用新案登録請求の範囲】
【請求項１】
太陽暦の日付と、各日付ごとにその日の九星及び凶方位を示す五黄殺の方位、暗剣殺の方位、日破の方位をそれぞれ表記した安心、安全カレンダー。
【請求項２】
複数枚の月表示紙葉からなり、各月表示紙葉に月ごとの日付が上下多段の配置で記載され、日付記載部分の一方側方の位置で、それぞれの上下日付の数字間と対応する部分に、九星、五黄殺、暗剣殺、日破の文字が上から順に並べて記載され、各日付の下に九星及び凶方位を示す五黄殺の方位、暗剣殺の方位、日破の方位が、前記九星、五黄殺、暗剣殺、日破の文字に対して横方向に対応するような配置で上から順に並べて記載されている請求項１に記載の安心、安全カレンダー。
【考案の詳細な説明】
【技術分野】
【０００１】
この考案は、九星・気学をもとに、毎日の生活におけるその日の方位の吉凶を誰にでも一目で分かるように表記した安心、安全カレンダーに関する。
【背景技術】
【０００２】
社会生活において、人間は毎日が安楽で不安のない平和な暮らしが得られるように望んでいるが、中には不幸を背負って苦労をしている人が多数存在していることも事実である。
【０００３】
人の進む前途には得体の知れない魔物が潜んでいて時々牙をむき、人に危害を加えて損害を与え、苦労させることがあり、不運にも悪魔の囁きに乗せられて自身が魔物になり変り、他人に危害を加えて大罪を犯すことがある。
【０００４】
このような事態は、九星・気学において五黄殺、破れといい、逆に他人から凶災を受けて損害を被る場合は暗剣殺という。
【０００５】
具体的な事象の例としては、自殺、他殺、自動車事故、詐欺、強盗、恐喝、引ったくり、毒物、麻薬、悪者の仲間入り、倒産、破産、一家離散等数々の凶災がある。
【０００６】
上記のような災難は、その日その日の方位と綿密な関係があり、その日の方位の吉凶を知り、凶方向に行かないようにすることで、災難に会わないようにすることができる。
【０００７】
ところで、カレンダーにおいて、九星・気学に基づくその日の九星を表記したものは既に提案されている（例えば、特許文献１参照）。
【先行技術文献】
【特許文献】
【０００８】
【特許文献１】実用新案登録第３０９１１２９号公報
【考案の概要】
【考案が解決しようとする課題】
【０００９】
しかしながら、上記した従来のカレンダーは、日付と共にその日の九星を表記しただけのものであり、九星の種類を見ても特別な知識がない限り、方位の吉凶との関係を知ることは不可能に近く、このため、危険な方向に行かないようにして災難に会わないようにする情報を得ることができないという問題がある。
【００１０】
そこで、この考案の課題は、各日付ごとにその日の九星と五黄殺の方位、暗剣殺の方位、日破の方位を並べて記載し、特別な知識や学習がなくても一目でその日の方位の吉凶を知ることができ、これに基づいて災難に会わないように行動することができる安心、安全カレンダーを提供することにある。
【課題を解決するための手段】
【００１１】
上記の課題を解決するため、この考案は、太陽暦の日付と、各日付ごとにその日の九星及び凶方位を示す五黄殺の方位、暗剣殺の方位、日破の方位をそれぞれ表記したものである。
【００１２】
安心、安全カレンダーは、複数枚の月表示紙葉からなり、各月表示紙葉に月ごとの日付が上下多段の配置で記載され、日付記載部分の一方側方の位置で、それぞれの上下日付の数字間と対応する部分に、九星、五黄殺、暗剣殺、日破の文字が上から順に並べて記載され、各日付の下に九星及び凶方位を示す五黄殺の方位、暗剣殺の方位、日破の方位が、前記九星、五黄殺、暗剣殺、日破の文字に対して横方向に対応するような配置で上から順に並べて記載されているようにすることができる。
【００１３】
ここで、上記安心、安全カレンダーは、複数枚の月表示紙葉と表紙の組み合わせからなり、例えば、表紙にはその年の方位盤と三大凶方位表及び月別の月破表とが記載してある。
【００１４】
また、月表示紙葉には、適宜の位置に月を表示すると共に、上部位置に日〜土までの曜日を記載し、その下に日付の数字が上下に間隔を設けた配置で順番に並べて記載され、前記日付記載部分の一方側方の位置で、それぞれの上下日付の数字間と対応する部分に、九星、五黄殺、暗剣殺、日破の文字が上から順に並べて記載されている。
【００１５】
上記各日付の数字の下に、その日の九星の種類、五黄殺の方位、暗剣殺の方位、日破の方位が、上記九星、五黄殺、暗剣殺、日破の文字に対して横方向に対応するような配置で上から順に並べて記載されている。
【００１６】
従って、日付の数字の下に記載されている五黄殺の方位、暗剣殺の方位、日破の方位を見ることにより、その日の方位の凶方向を特別な知識がなくても一目で知ることができ、危険な方向に行かないようにして災難に会わないようにすることができる。
【考案の効果】
【００１７】
この考案によると、カレンダーの日付けの数字の下にその日の九星、五黄殺の方位、暗剣殺の方位、日破の方位を記載したので、九星・気学に対して特別な知識がない人でも、一目見ればその日の凶方位を知ることができ、これに従って危険な方向に行かないように極力努力するように心がければ、災難に会わないようにすることができる。
【図面の簡単な説明】
【００１８】
【図１】この考案に係る安心、安全カレンダーの表紙を示す正面図
【図２】この考案に係る安心、安全カレンダーの月表示紙葉の一例を示す正面図
【考案を実施するための形態】
【００１９】
以下、この考案の実施の形態を図示例に基づいて説明する。
【００２０】
図示のように、この考案の安心、安全カレンダーは、表紙１と複数枚の月表示紙葉２との組合わせからなり、図１のように、表紙１には太陽暦によるその年の年号と方位盤３、三大凶方位表４及び月別の月破表５とが記載してあり、前記方位盤３は、中央にその年の九星の中宮とその周囲に他の九星を記載し、その外側周囲に十二支を配置し、更にその外側に南を上にして各干支に対応して方角が記載されたものである。
【００２１】
また、三大凶方位表４は、その年から数年間の各年における九星、十二支、五黄殺とその方位、暗剣殺とその方位、歳破とその方位が表となって記載されたものであり、更に上記月破表５は、その年の各月における十二支と月破を一つの表にまとめたものである。
【００２２】
上記月表示紙葉２には、上部等の適宜の位置に月６とその月６の九星７を表示すると共に、上部位置に日〜土までの曜日８を横並びに記載し、その下に太陽暦に基づいた日付９の数字が上下に所定の間隔を設けた配置で順番に横並びの配置で多段に記載され、前記日付９の記載部分の一方側方の位置で、それぞれの上下日付９の数字間と対応する部分に、九星１０、五黄殺１１、暗剣殺１２、日破１３の文字が上から順に並べて記載されている。
【００２３】
上記各日付９の数字の下に、その日の九星の種類１４、五黄殺の方位１５、暗剣殺の方位１６、日破の方位１７が、上記九星１０、五黄殺１１、暗剣殺１２、日破１３の文字に対して横方向に対応するような配置で上から順に並べて記載されている。
【００２４】
従って、上記のような各日付９の数字と九星に基づくその日の各方位を並べて記載することにより、その日の各種凶方位を一目で知ることができ、図２に一例で示すように、例えば、平成２３年３月１は、九星が七赤、五黄殺の方位は東、暗剣殺の方位は西、日破の方位は西となる。
【００２５】
なお、図示の場合、安心、安全カレンダーは表紙１と複数枚の月表示紙葉２からなり、月表示紙葉２に一ヶ月分の暦を記載したものを示したが、カレンダーとして、一枚の紙葉に年号と方位盤、三大凶方位表及び月別の月破表と一年分の暦を記載した形態や、月表示紙葉に二ヶ月や三ヶ月等の複数月の暦を印刷した形態を採用することも当然可能である。
【００２６】
この考案の安心、安全カレンダーは、上記のような構成であり、各日付９の数字の下にその日の九星１４の種類、五黄殺の方位１５、暗剣殺の方位１６、日破の方位１７を記載したので、このカレンダーを用いることにより、特別な学問や知識を有しなくとも一目でその日の五黄殺１１、暗剣殺１２、日破１３の凶方位を知ることができ、その日の危険な方位を知ることで、その方向に行かないようにして災難に会わないようにする。
【００２７】
どうしてもというときには、相克の道を進むものとこころに戒め、万全の注意を払って難を避けるように心がけるようにする。
【００２８】
因みに、方位の取り方は、個人の場合自宅、仕事関係では会社や事務所を中心とし、五黄中宮の日は、五黄殺、暗剣殺の方位はなく、また、日の破れについてはその日の十二支の対面の宮が日破になる。
【００２９】
九星において、その年の凶方位を冒したことにより問題が生じた場合は６０年間、その月の凶方位を冒した場合は５年間、その日の凶方位を冒した場合は６０日間、後遺症の影響が残って苦しむことになり、凶方位が二つ重なる場合は特に注意が必要になる。
【符号の説明】
【００３０】
１          表紙
２          月表示紙葉
３          方位盤
４          三大凶方位表
５          月別の月破表
６          月
７          九星
８          曜日
９          日付
１０        九星
１１        五黄殺
１２        暗剣殺
１３        日破
１４        九星の種類
１５        五黄殺の方位
１６        暗剣殺の方位
１７        日破の方位
【図１】
0003168757.tif 000003
【図２】
0003168757.tif 000004
【手続補正書】
【提出日】平成23年4月1日(2011.4.1)
【手続補正１】
【補正対象書類名】実用新案登録請求の範囲
【補正対象項目名】全文
【補正方法】変更
【補正の内容】
【実用新案登録請求の範囲】
【請求項１】
複数枚の月表示紙葉からなり、各月表示紙葉に月ごとの日付が上下多段の配置で記載され、日付記載部分の一方側方の位置で、それぞれの上下日付の数字間と対応する部分に、九星、五黄殺、暗剣殺、日破の文字が上から順に並べて記載され、各日付の下に九星及び凶方位を示す五黄殺の方位、暗剣殺の方位、日破の方位が、前記九星、五黄殺、暗剣殺、日破の文字に対して横方向に対応するような配置で上から順に並べて記載されている安心、安全カレンダー。
【手続補正２】
【補正対象書類名】明細書
【補正対象項目名】００１１
【補正方法】変更
【補正の内容】
【００１１】
上記の課題を解決するため、この考案は、複数枚の月表示紙葉からなり、各月表示紙葉に月ごとの日付が上下多段の配置で記載され、日付記載部分の一方側方の位置で、それぞれの上下日付の数字間と対応する部分に、九星、五黄殺、暗剣殺、日破の文字が上から順に並べて記載され、各日付の下に九星及び凶方位を示す五黄殺の方位、暗剣殺の方位、日破の方位が、前記九星、五黄殺、暗剣殺、日破の文字に対して横方向に対応するような配置で上から順に並べて記載されているようにしたものである。
【手続補正３】
【補正対象書類名】明細書
【補正対象項目名】００１２
【補正方法】削除
【補正の内容】